(57)【要約】【課題】軒樋を流れる水の妨げにならなくすることができ、搬送する部品点数を減らすことができ、軒樋に取付けることを忘れ難くすることができる、スライドストッパーを備えた集水器を提供する。【解決手段】上壁が開口された容器状の外殻２と、外殻２の一対の側壁２１に設けられ、軒樋４の長手方向に直交する方向の軒樋４の断面の形状に沿った開口である軒樋挿入口２１ａと、外殻２に設けられ軒樋挿入口２１ａから挿入される軒樋４の耳部と係合するための軒樋係合部２６と、外殻２の底壁２４に設けられる排水口２４ｃと、を備える集水器１であって、外殻２と一体に成形され、外殻２から切断されて軒樋４の耳部に取付けられ、軒樋係合部２６と当接し軒樋４が集水器１から抜けることを防止するスライドストッパー３を備えることを特徴とする。【選択図】図１
2014118689.tif 000002
【特許請求の範囲】
【請求項１】
上壁が開口された容器状の外殻と、
前記外殻の一対の側壁に設けられ、軒樋の長手方向に直交する方向の軒樋の断面の形状に沿った開口である軒樋挿入口と、
前記外殻に設けられ前記軒樋挿入口から挿入される軒樋の耳部と係合するための軒樋係合部と、
前記外殻の底壁に設けられる排水口と、を備える集水器であって、
前記外殻と一体に成形され、前記外殻から切断されて軒樋の耳部に取付けられ、前記軒樋係合部と当接し軒樋が前記集水器から抜けることを防止するスライドストッパーを備えることを特徴とする集水器。
【請求項２】
前記外殻は前記排水口の周縁部から下方へ連設される排水筒を備え、前記スライドストッパーが前記排水筒の内面に備えられていることを特徴とする請求項１記載の集水器。
【発明の詳細な説明】
【技術分野】
【０００１】
本発明は、軒樋の水を集水して竪樋から排水するための集水器に関するものである。
【背景技術】
【０００２】
従来から、軒樋と集水器を接続する場合、軒樋の下流側端部を集水器の側壁の開口に差し込んで接続している。そして、軒樋の下流側端部が集水器から抜けるのを防止するため、軒樋の下流側の底板端部にスライドストッパーを接着していた（例えば特許文献１参照）。
【先行技術文献】
【特許文献】
【０００３】
【特許文献１】特開２００５−１３９７８５号公報
【発明の概要】
【発明が解決しようとする課題】
【０００４】
ところで、特許文献１に記載されている発明で、スライドストッパーは集水器と軒樋を接続する際に使用される部材であるが、集水器とは別部材として形成されていた。そして、スライドストッパーは軒樋の下流側の底板端部に接着されるため、軒樋を流れる水の流れを妨げてしまっていた。また、スライドストッパーが集水器とは別部材で成形されているため、集水器を搬送するだけではスライドストッパーを施工現場まで持っていくことができず、部品点数が増加し、部品の管理作業が煩雑になってしまっていた。そして、別部材となっているため軒樋に取付けることを忘れてしまい易かった。
【０００５】
本発明は上記従来の問題点に鑑みて発明したものであって、その目的とするところは、軒樋を流れる水の妨げにならず、搬送する部品点数を減らすことができ、軒樋に取付けることを忘れ難い、スライドストッパーを備えた集水器を提供することを課題とするものである。
【課題を解決するための手段】
【０００６】
上記課題を解決するために、本発明は、以下のような構成とする。
【０００７】
上壁が開口された容器状の外殻と、前記外殻の一対の側壁に設けられ、軒樋の長手方向に直交する方向の軒樋の断面の形状に沿った開口である軒樋挿入口と、前記外殻に設けられ前記軒樋挿入口から挿入される軒樋の耳部と係合するための軒樋係合部と、前記外殻の底壁に設けられる排水口と、を備える集水器であって、前記外殻と一体に成形され、前記外殻から切断されて軒樋の耳部に取付けられ、前記軒樋係合部と当接し軒樋が前記集水器から抜けることを防止するスライドストッパーを備えることを特徴とする。
【０００８】
前記外殻は前記排水口の周縁部から下方へ連設される排水筒を備え、前記スライドストッパーが前記排水筒の内面に備えられていることが好ましい。
【発明の効果】
【０００９】
本発明の集水器は、スライドストッパーを、軒樋を流れる水の妨げにならなくすることができ、搬送する部品点数を減らすことができ、軒樋に取付けることを忘れ難くすることができる。
【図面の簡単な説明】
【００１０】
【図１】本発明の集水器の斜視図である。
【図２】スライドストッパーを軒樋の耳部に取付けるときの拡大斜視図である。
【図３】本発明の集水器に軒樋を取付けたときの斜視図である。
【発明を実施するための形態】
【００１１】
以下、本発明を添付図面に示す実施形態に基いて説明する。
【００１２】
集水器１は、軒樋４を流れている水を集水して竪樋から排水するために設けられている。図１、図３に示すように、矢印Ｄ１を前方向とし矢印Ｄ２を後方向とする。
【００１３】
まず軒樋４について、説明する。
【００１４】
軒樋４は、軒樋４の長手方向と直交する断面の形状が上方に開口する略コ字状をしたもので、隣接し二本の対向する軒樋４の下流側端部間に集水器１が配置される。軒樋４は、本実施形態では、前方向に設けられる前板部４１と、後方向に設けられる後板部４２と、前板部４１の下端から後板部４２の下端まで連設されている底板部４３と、で形成されているが、形状や構成は特に限定されない。
【００１５】
後板部４２の上端部には、後板部４２の上端から後方向へ突出し、その突出先端から下方へ突出し、その突出先端から前方向へ突出する、後板耳部４２ａが設けられている。なお、後板耳部４２ａの形状は上記の形状に限定されない。後板部４２の下端部は、下方に行く程前方向に傾斜している。
【００１６】
前板部４１の上端部には、前方向へ突出し、その突出先端から上方へ突出し、その突出先端から後方向へ水平に突出し、その突出先端から下方へ突出する、前板耳部４１ａが設けられている。なお、前板耳部４１ａの形状は上記の形状に限定されない。前板部４１の下端部は、下方に行く程後方向へ傾斜している。
【００１７】
次に集水器について説明する。集水器１は、外殻２と、スライドストッパー３と、を備えている。
【００１８】
外殻２は、上壁が開口した容器状の形状となっている。また外殻２の一対の側壁２１は、軒樋４の長手方向に直交する方向の軒樋４の断面の形状に沿った開口である軒樋挿入口２１ａとなっている。詳述すると、軒樋挿入口２１ａの幅及び長さは、軒樋４の断面の幅及び長さより若干大きく形成されており、軒樋挿入口２１ａと軒樋４の断面の形状は略同じに形成されている。なお、軒樋挿入口２１ａは側壁２１の全体に亘って設けられていてもよいし、側壁２１の一部に軒樋挿入口２１ａが設けられていてもよい。ここで、外殻２の前方向の側壁２１は前壁２２とし、外殻２の後方向の側壁２１は後壁２３とする。
【００１９】
外殻２の底壁２４は、軒樋挿入口２１ａを有する一対の側壁２１の下端から所定の距離内方向へ水平に設けられる軒樋載置部２４ａを備えている。そして、軒樋載置部２４ａの内方向の端部から下方へ凹状に設けられる凹部２４ｂが設けられ、凹部２４ｂの底壁２４の略中心に排水口２４ｃが設けられている。言い換えると、排水口２４ｃは軒樋載置部２４ａよりも一段低い位置に設けられていることになる。
【００２０】
排水口２４ｃの周縁部から下方に排水筒２５が連設されている。排水筒２５は、集水器１に流れ込んできた水を下水管へと流すために取付けられる竪樋と接続される。
【００２１】
前壁２２は、前板部４１の形状に沿った形状で形成されている。本実施形態では、前壁２２の上端の両端に、前板耳部４１ａと係合する第一係合部２６ａが設けられているが、第一係合部２６ａが設けられる場所は特に限定されない。本実施形態では、第一係合部２６ａの形状は、前壁２２の上端の両端から後方向に突出し、その突出先端から下方へ突出する形状となっているが、形状は特に限定されない。第一係合部２６ａは、前板耳部４１ａを被覆するように設けられている。
【００２２】
後壁２３は、後板部４２の形状に沿った形状で形成されている。本実施形態では、後壁２３の上端の両端に、後板耳部４２ａと係合する第二係合部２６ｂが設けられているが、第二係合部２６ｂが設けられる場所は特に限定されない。本実施形態では、第二係合部２６ｂの形状は、後壁２３の上端の両端から前方向に突出し、その突出先端から下方へ突出する形状となっているが、形状は特に限定されない。第二係合部２６ｂは、後板耳部４２ａを被覆するように設けられている。
【００２３】
軒樋係合部２６は、第一係合部２６ａと第二係合部２６ｂとを合わせたものである。軒樋係合部２６は、軒樋挿入口２１ａから挿入される軒樋４の耳部と係合する。本実施形態では、軒樋係合部２６は、外殻２の前壁２２の両端と後壁２３の両端に四個設けられているが、軒樋係合部２６が設けられる場所と数は特に限定されない。
【００２４】
スライドストッパー３は、本実施形態では、図１に示すように平面視がＬ字状の板である基部３１と、基部３１のＬ字状となっている平面から並設される二本の突出片である挟持部３２と、で形成されている。なお、スライドストッパー３の構成は本実施形態に限定されず、基部３１及び挟持部３２の形状も本実施形態に限定されない。挟持部３２は、挟持部３２の内側の面に接着剤を塗布して、二本の突出片の間に後板耳部４２ａの一片を挟み込み、後板耳部４２ａに接着する。本実施形態では、図２に示すように、挟持部３２は軒樋４の後板耳部４２ａの上下方向の一片に取付けられているが、前後方向の一片に取付けられるように挟持部３２が設けられていてもよい。
【００２５】
スライドストッパー３は、集水器１及び軒樋４が熱などで収縮してしまった際、軒樋係合部２６とスライドストッパー３が当接し、集水器１から軒樋４が抜けてしまうことを防止している。なお、本実施形態では、後板耳部４２ａにスライドストッパー３は取付けられているが、取付けられる場所は軒樋４の下流側の耳部の端部であればよい。そして、軒樋４の下流側の耳部の端部に取付けられるスライドストッパー３は、図３では一つであるが、二個、四個といった複数個でもよい。
【００２６】
スライドストッパー３は集水器１と一体成形により設けられる。本実施形態では、スライドストッパー３は、排水筒２５の内面に設けられているが、スライドストッパー３の設けられる位置は特に限定されない。また、集水器１と一体成形により設けられるスライドストッパー３の数は、図１では一つとなっているが、二個、四個といった複数個であってもよい。ここで、家屋の軒先に取付けられている軒樋４に集水器１が施工される際に、スライドストッパー３は集水器１から切断される。
【００２７】
集水器１と軒樋４との接続について説明する。
【００２８】
まず、集水器１に一体成形されているスライドストッパー３を切断するが、スライドストッパー３を切断する工程は後の工程になってもよい。軒樋４は集水器１の対向する一対の軒樋挿入口２１ａに挿入されるが、外殻２内に適当な長さを挿入して集水器１に差し込んでいる。軒樋４の長手方向に直交する方向の軒樋４の断面と軒樋挿入口２１ａは略同形状に形成されているので、軒樋４が軒樋挿入口２１ａに嵌入される。そして、前板耳部４１ａが第一係合部２６ａに挿入され、また後板耳部４２ａが第二係合部２６ｂに挿入されることにより、軒樋４は集水器１に固定される。そして、切断しているスライドストッパー３を軒樋４の下流側端部の耳部に接着固定し、軒樋４の抜け止めをする。上記したように、集水器１には対向する一対の軒樋挿入口２１ａから軒樋４が挿入され、軒樋４は集水器１の内部に適当な長さ挿入して固定されている。その際、軒樋４は軒樋載置部２４ａの上に載置されることになる。従って、集水器１は軒樋４の長手方向にある程度長く形成されることが好ましい。
【００２９】
以上のような構成により、本実施形態の集水器１は、スライドストッパー３が従来のように軒樋４の底板の下流側端部に取付けられないので、軒樋４を流れる水の流れを妨げなくすることができる。また、スライドストッパー３は集水器１と一体成形で形成されているため、施工現場へ搬送する際に搬送する部品点数を減らすことができる。また、集水器１を取付ける際に、スライドストッパー３が目に入る位置にあるので、スライドストッパー３を軒樋４の下流側の耳部の端部に取付けることを忘れ難くなる。スライドストッパー３は、集水器１に挿入される軒樋４の下流側の耳部の端部に取付けられるため、集水器１の側壁２１がスライドストッパー３を遮蔽するので、屋外側から見え難くなっており、美観を損なわないようになっている。
【符号の説明】
【００３０】
１    集水器
２    外殻
２１  側壁
２１ａ  軒樋挿入口
２２  前壁
２３  後壁
２４  底壁
２４ａ  軒樋載置部
２４ｂ  凹部
２４ｃ  排水口
２５  排水筒
２６  軒樋係合部
２６ａ  第一係合部
２６ｂ  第二係合部
３    スライドストッパー
４    軒樋
【図１】
2014118689.tif 000003
【図２】
2014118689.tif 000004
【図３】
2014118689.tif 000005